(57)【要約】      （修正有）【課題】所望とする反射面形状を得ることが従来よりも容易で、素管自体にバラつきがあったとしても、反射面形状のバラつきを低減することが可能な反射鏡（副鏡）の製造方法を提供する。【解決手段】素管１を準備する素管準備工程と、素管の一方端部１Ａを加熱する素管加熱工程と、副鏡の反射面形状に対応する形状面７１０を有し回転対称体からなる第１の成形型７００を、素管における一方端部１Ａの内面に押し当てるとともに、副鏡の外形形状に対応する形状面７７０，７９０を有する第２の成形型７５０（上型７６０及び下型７８０）を、素管における一方端部１Ａの外面に押し当てることにより、副鏡における反射面形状及び外形形状を形成する成形工程と、副鏡における反射面となる部分に反射層を形成する反射層形成工程とを含むことを特徴とする反射鏡（副鏡）の製造方法。【選択図】図３
2009157013.tif 000002
【特許請求の範囲】
【請求項１】
発光管と、前記発光管から放射される光を所定方向に向けて反射する反射面を有する反射鏡とを備える光源装置に用いる反射鏡の製造方法であって、
前記反射鏡の材料からなる素管を準備する素管準備工程と、
前記素管の一方端部を加熱する素管加熱工程と、
前記反射鏡の反射面形状に対応する形状面を有し回転対称体からなる第１の成形型を、前記素管における前記一方端部の内面に押し当てるとともに、前記反射鏡の外形形状に対応する形状面を有する第２の成形型を、前記素管における前記一方端部の外面に押し当てることにより、前記反射鏡における前記反射面形状及び前記外形形状を形成する成形工程と、
前記反射鏡における前記反射面となる部分に反射層を形成する反射層形成工程とを含むことを特徴とする反射鏡の製造方法。
【請求項２】
請求項１に記載の反射鏡の製造方法において、
前記第２の成形型は、複数の型を組み合わせることにより前記反射鏡の外形形状に対応する前記形状面を形成することが可能な成形型集合体からなることを特徴とする反射鏡の製造方法。
【請求項３】
請求項１又は２に記載の反射鏡の製造方法において、
前記成形工程を行った後、前記素管における一方端面から所定の長さで前記素管を切断する素管切断工程をさらに含むことを特徴とする反射鏡の製造方法。
【請求項４】
請求項１〜３のいずれかに記載の反射鏡の製造方法において、
前記第１の成形型又は前記第２の成形型は、前記反射鏡における光射出方向側の開口端面に対応する平面部を有することを特徴とする反射鏡の製造方法。
【請求項５】
請求項４に記載の反射鏡の製造方法において、
前記成形工程においては、前記素管における前記一方端部の内面及び外面に前記第１の成形型及び前記第２の成形型を押し当てた状態で、前記素管における一方端面を前記平面部まで伸ばすように、前記素管に遠心力を加えることを特徴とする反射鏡の製造方法。
【請求項６】
請求項４に記載の反射鏡の製造方法において、
前記平面部の一部には、前記第１の成形型及び前記第２の成形型によって形成される内部空間と前記第１の成形型又は前記第２の成形型の外部とを繋ぐ貫通孔が設けられ、
前記成形工程においては、前記素管における前記一方端部の内面及び外面に前記第１の成形型及び前記第２の成形型を押し当てた状態で、前記素管における一方端面を前記平面部まで伸ばすように、吸引装置を用いて前記貫通孔を介して前記内部空間に存在する空気を吸引することを特徴とする反射鏡の製造方法。
【請求項７】
照明光軸に沿って配置された一対の電極を内蔵する管球部並びに前記管球部の両側に延びる一方の封止部及び他方の封止部を有する発光管と、
前記一方の封止部側に配設され、前記発光管からの光を被照明領域側に向けて反射するリフレクタと、
前記管球部における前記被照明領域側の外面を覆うように前記他方の封止部側に配設され、前記発光管からの光を前記発光管に向けて反射する副鏡とを備える光源装置であって、
前記副鏡は、請求項１〜６のいずれかに記載の反射鏡の製造方法によって製造された副鏡であることを特徴とする光源装置。
【請求項８】
請求項７に記載の光源装置を備えることを特徴とするプロジェクタ。
【発明の詳細な説明】
【技術分野】
【０００１】
本発明は、反射鏡の製造方法並びに光源装置及びプロジェクタに関する。
【背景技術】
【０００２】
従来、プロジェクタに用いる光源装置として、副鏡を備える光源装置が知られており（例えば、特許文献１参照。）、このような副鏡を製造するための方法として、気圧成形法によって副鏡を製造する方法が知られている（例えば、特許文献２参照。）。
従来の副鏡の製造方法は、副鏡の材料からなる素管を準備する素管準備工程と、素管を加熱して成形型に入れた後、素管の一部の内面形状が２つの副鏡を互いに向き合わせたときの反射面の形状となるように、不活性ガスによって内圧をかけることにより素管の一部を膨張させて膨張部を形成する膨張部形成工程と、膨張部が形成された素管を切断することにより、２つの副鏡基材を形成する副鏡基材形成工程と、副鏡基材の内面のうち反射面となる部分に反射層を形成する反射層形成工程とを含む方法である。
【０００３】
【特許文献１】特開平８−３１３８２号公報
【特許文献２】国際公開第２００５／１７４０６号
【発明の開示】
【発明が解決しようとする課題】
【０００４】
しかしながら、従来の副鏡の製造方法においては、不活性ガスで内圧をかけることにより副鏡の反射面形状を形成することとしているため、副鏡の反射面形状が安定しないという不具合がある。また、従来の副鏡の製造方法では、所望とする反射面形状を得るためにはある程度の経験が必要とされる。
すなわち、従来の副鏡の製造方法においては、所望とする反射面形状を得ることが容易ではないという問題がある。
【０００５】
また、副鏡を製造する際に用いる素管は、管径の大きさなど素管自体にバラつきがみられる場合があり、素管自体のバラつきが大きいと、従来の副鏡の製造方法では、製造後の副鏡の反射面形状がバラついてしまうという問題がある。
【０００６】
なお、これらの問題は、気圧成形法によって副鏡を製造する場合にのみ発生するものではなく、光源装置に用いるリフレクタを気圧成形法によって製造する場合にも発生するものである。すなわち、リフレクタ及び副鏡を含む反射鏡を製造する場合全般に発生する問題である。
【０００７】
そこで、本発明は、上記の問題を解決するためになされたもので、所望とする反射面形状を得ることが従来よりも容易で、素管自体にバラつきがあったとしても、反射鏡の反射面形状のバラつきを低減することが可能な反射鏡の製造方法を提供することを目的とする。また、そのような優れた反射鏡の製造方法によって製造された副鏡を備える光源装置を提供することを目的とする。さらにまた、そのような優れた光源装置を備えるプロジェクタを提供することを目的とする。
【課題を解決するための手段】
【０００８】
本発明の反射鏡の製造方法は、発光管と、前記発光管から放射される光を所定方向に向けて反射する反射面を有する反射鏡とを備える光源装置に用いる反射鏡の製造方法であって、前記反射鏡の材料からなる素管を準備する素管準備工程と、前記素管の一方端部を加熱する素管加熱工程と、前記反射鏡の反射面形状に対応する形状面を有し回転対称体からなる第１の成形型を、前記素管における前記一方端部の内面に押し当てるとともに、前記反射鏡の外形形状に対応する形状面を有する第２の成形型を、前記素管における前記一方端部の外面に押し当てることにより、前記反射鏡における前記反射面形状及び前記外形形状を形成する成形工程と、前記反射鏡における前記反射面となる部分に反射層を形成する反射層形成工程とを含むことを特徴とする。
【０００９】
このため、本発明の反射鏡の製造方法によれば、後述する図３からわかるように、第１の成形型と第２の成形型とで素管を挟むようにして反射面形状及び外形形状を形成することとしているため、確実に反射面形状及び外形形状を出すことができ、比較的安定して反射面形状及び外形形状を形成することが可能となる。また、本発明の反射鏡の製造方法によれば、２つの成形型でもって反射鏡を製造することとしているため、副鏡の製造経験がさほど多くない者であっても、所望とする反射面形状からなる反射鏡を比較的容易に製造することが可能となる。すなわち、本発明の反射鏡の製造方法は、所望とする反射面形状を得ることが従来よりも容易な方法であるといえる。
【００１０】
また、本発明の反射鏡の製造方法によれば、素管自体にバラつきがあったとしても、第１の成形型と第２の成形型との位置関係をあわせておけば、比較的同一形状（反射面形状及び外形形状）の反射鏡を繰り返し製造することができる。すなわち、本発明の反射鏡の製造方法は、素管自体にバラつきがあったとしても、反射鏡の反射面形状のバラつきを低減することが可能な方法であるといえる。
【００１１】
また、本発明の反射鏡の製造方法によれば、所望の形状からなる反射鏡を製造するための形状面を有する第１の成形型及び第２の成形型を一旦作ってしまえば、以後は当該第１の成形型及び第２の成形型を用いることにより、同一形状の反射鏡を複数製造することが可能となる。その結果、反射鏡の製造コストを低減することが可能となる。
【００１２】
なお、この明細書において「素管の一方端部」とは、素管における２つの端部のうち一方側の端部のことをいう。
【００１３】
本発明の反射鏡の製造方法においては、前記第２の成形型は、複数の型を組み合わせることにより前記反射鏡の外形形状に対応する前記形状面を形成することが可能な成形型集合体からなることが好ましい。
【００１４】
このような方法とすることにより、第２の成形型を素管の外面に配置する作業が比較的容易となる。
【００１５】
本発明の反射鏡の製造方法においては、前記成形工程を行った後、前記素管における一方端面から所定の長さで前記素管を切断する素管切断工程をさらに含むことが好ましい。
【００１６】
従来の副鏡の製造方法では、１つの素管から２つの副鏡を得ることしかできないのに対し、本発明の反射鏡の製造方法によれば、比較的長い素管を用いることによって複数の反射鏡を製造することができ、反射鏡の製造コストを低減することが可能となる。
【００１７】
本発明の反射鏡の製造方法においては、前記第１の成形型又は前記第２の成形型は、前記反射鏡における光射出方向側の開口端面に対応する平面部を有することが好ましい。
【００１８】
このため、本発明の反射鏡の製造方法によれば、素管における一方端面と当該平面部とを当接させることによって、反射鏡における光射出方向側の開口端面に平面度の高い基準面を形成することが可能となる。その結果、反射鏡の位置決め精度（発光管への取り付け精度）を向上することが可能となる。また、反射鏡に平面度の高い基準面があることによって、反射鏡の形状精度を検査する際の検査精度を向上することが可能となる。
【００１９】
なお、この明細書において「素管の一方端面」とは、素管における２つの端面のうち一方側の端面のことをいい、上述の「素管の一方端部」と同じ側の端面のことを意味する。
【００２０】
本発明の反射鏡の製造方法において、前記成形工程においては、前記素管における前記一方端部の内面及び外面に前記第１の成形型及び前記第２の成形型を押し当てた状態で、前記素管における一方端面を前記平面部まで伸ばすように、前記素管に遠心力を加えることが好ましい。
【００２１】
このような方法とすることにより、反射鏡における光射出方向側の開口端面に平面度の高い基準面を確実に形成することが可能となる。
【００２２】
本発明の反射鏡の製造方法においては、前記平面部の一部には、前記第１の成形型及び前記第２の成形型によって形成される内部空間と前記第１の成形型又は前記第２の成形型の外部とを繋ぐ貫通孔が設けられ、前記成形工程においては、前記素管における前記一方端部の内面及び外面に前記第１の成形型及び前記第２の成形型を押し当てた状態で、前記素管における一方端面を前記平面部まで伸ばすように、吸引装置を用いて前記貫通孔を介して前記内部空間に存在する空気を吸引することが好ましい。
【００２３】
このような方法とすることによっても、反射鏡における光射出方向側の開口端面に平面度の高い基準面を確実に形成することが可能となる。
【００２４】
本発明の光源装置は、照明光軸に沿って配置された一対の電極を内蔵する管球部並びに前記管球部の両側に延びる一方の封止部及び他方の封止部を有する発光管と、前記一方の封止部側に配設され、前記発光管からの光を被照明領域側に向けて反射するリフレクタと、前記管球部における前記被照明領域側の外面を覆うように前記他方の封止部側に配設され、前記発光管からの光を前記発光管に向けて反射する副鏡とを備える光源装置であって、前記副鏡は、本発明の反射鏡の製造方法によって製造された副鏡であることを特徴とする。
【００２５】
このため、本発明の光源装置は、上記した反射鏡の製造方法によって製造された副鏡を備えているため、高品質な副鏡を備える光源装置となる。
【００２６】
本発明のプロジェクタは、本発明の光源装置を備えることを特徴とする。
【００２７】
このため、本発明のプロジェクタは、上記した光源装置を備える優れたプロジェクタとなる。
【発明を実施するための最良の形態】
【００２８】
以下、本発明の反射鏡の製造方法並びに光源装置及びプロジェクタについて、図に示す実施の形態に基づいて説明する。
【００２９】
［実施形態１］
実施形態１では、本発明の反射鏡の製造方法を副鏡の製造方法に適用した場合について説明する。
【００３０】
図１は、実施形態１に係る副鏡の製造方法で製造された副鏡６０の断面図である。図２は、実施形態１に係る副鏡の製造方法を説明するために示すフローチャートである。図３及び図４は、実施形態１に係る副鏡の製造方法における各工程を模式的に示す図である。図３（ａ）は素管準備工程を示す図であり、図３（ｂ）は素管加熱工程を模式的に示す図であり、図３（ｃ）は成形工程で用いる成形型の斜視図であり、図３（ｄ）は成形工程において第１の成形型７００を配置した様子を示す図であり、図３（ｅ）は成形工程において第２の成形型７５０を配置した様子を示す図である。図４（ａ）は成形工程において素管１に遠心力を加える様子を示す図であり、図４（ｂ）は成形工程において素管１に遠心力を加えたときの素管１の端部を拡大して示す図であり、図４（ｃ）は素管切断工程を模式的に示す図であり、図４（ｄ）は反射層形成工程を模式的に示す図である。
【００３１】
実施形態１に係る副鏡の製造方法は、光源装置に用いる副鏡６０（図１参照。）の製造方法であって、図２に示すように、素管準備工程Ｓ１０、素管加熱工程Ｓ２０、成形工程Ｓ３０、素管切断工程Ｓ４０及び反射層形成工程Ｓ５０が順次実施される。副鏡６０の構成については詳細に後述するが、図１に示すように、所定の反射面形状６２及び外形形状６４を有し、内面に反射層６６が形成されている。また、符号６８で示す方の開口端面が、光射出側の開口端面となる。以下、実施形態１に係る副鏡の製造方法における各工程を詳細に説明する。
【００３２】
１．素管準備工程Ｓ１０
まず、図３（ａ）に示すように、副鏡６０の材料からなる素管１を準備する。素管１としては、硬質ガラス管や石英ガラス管を好適に用いることができる。なかでも、石英ガラス管を用いることが好ましい。石英ガラス管は、熱膨張率が低いうえに内部歪が残らないため、アニール処理をする必要がないからである。
【００３３】
２．素管加熱工程Ｓ２０
次に、図３（ｂ）に示すように、素管１の中心軸１ａｘを回転中心として回転させながら、素管１の一方端部１Ａを加熱する。なお、素管１の他方端部１Ｂは、図示しない回転装置に接続されている。
【００３４】
３．成形工程Ｓ３０
次に、第１の成形型７００を準備して、第１の成形型７００を所定位置に配置する。第１の成形型７００は、例えばカーボン材料からなり、図３（ｃ）に示すように、副鏡６０の反射面形状６２に対応する形状面７１０を有し、中心軸７００ａｘを中心とした回転対称体である。実施形態１においては、図３（ｄ）に示すように、素管１における一方端部１Ａの内面に第１の成形型７００における形状面７１０を押し当てるようにして、第１の成形型７００を配置する。なお、本工程においては、素管１の加熱状態に応じて、素管１の一方端部１Ａを加熱してもよい。加熱する場合は、第１の成形型７００を回転装置（図示せず。）に接続し、素管１の回転方向と第１の成形型７００の回転方向とを同じ方向にするとともに回転速度も同じ速度にしつつ、素管１及び第１の成形型７００を回転させながら、素管１の一方端部１Ａを加熱することが好ましい。
【００３５】
第１の成形型７００を配置した後、第２の成形型７５０を準備して、第２の成形型７５０を所定位置に配置する。第２の成形型７５０は、図３（ｃ）に示すように、２つの型（上型７６０及び下型７８０）からなる成形型集合体である。上型７６０及び下型７８０は、例えばカーボン材料からなり、副鏡６０の外形形状６４に対応する形状面７７０，７９０と、副鏡６０における光射出方向側の開口端面６８に対応する平面部７７２，７９２とを有する。上型７６０及び下型７８０を組み合わせることにより、副鏡６０の外形形状６４に対応する形状面を形成することが可能となる。実施形態１においては、図３（ｅ）に示すように、素管１における一方端部１Ａの外面に上型７６０及び下型７８０の形状面７７０，７９０を押し当てるようにして、第２の成形型７５０（上型７６０及び下型７８０）を配置する。
【００３６】
第２の成形型７５０を配置した後、図４（ａ）に示すように、素管１を遠心力付与装置８００に装着する。遠心力付与装置８００は、素管１を鉛直方向に沿って振り下ろすことにより、素管１（の一方端部１Ａ）に遠心力を加える装置である。第１の成形型７００及び第２の成形型７５０を素管１に押し当てたとき、図４（ｂ）の左側の図に示すように、素管１における溶融した一方端部１Ａが平面部７７２，７９２まで到達せず、第１の成形型７００と第２の成形型７５０と素管１との間に隙間ｇが生じる場合がある。このような場合であっても、素管１における一方端面１ａを平面部７７２，７９２まで伸ばすように素管１に遠心力を加えることによって、図４（ｂ）の右側の図に示すように、隙間ｇを埋めるように素管１が良好に充填されることとなる。
【００３７】
なお、素管１に遠心力を加える際、第１の成形型７００と第２の成形型７５０（上型７６０及び下型７８０）とは、素管１から第１の成形型７００及び第２の成形型７５０が外れないように、図示しない固定部材によって固定されている。
【００３８】
４．素管切断工程Ｓ４０
次に、図４（ｃ）に示すように、素管１における一方端面１ａから所定の長さで素管１を切断する。
【００３９】
５．反射層形成工程Ｓ５０
そして、図４（ｄ）に示すように、副鏡６０における反射面となる部分に反射層６６を形成する。反射層６６としては、例えば、酸化タンタル（Ｔａ２Ｏ５）と酸化シリコン（ＳｉＯ２）との誘電体多層膜からなる反射層を好適に用いることができる。
【００４０】
以上により、図１に示す副鏡６０を製造することができる。
【００４１】
このように、実施形態１に係る副鏡の製造方法によれば、図３からわかるように、第１の成形型７００と第２の成形型７５０とで素管１を挟むようにして副鏡６０の反射面形状６２及び外形形状６４を形成することとしているため、確実に反射面形状６２及び外形形状６４を出すことができ、比較的安定して反射面形状６２及び外形形状６４を形成することが可能となる。また、実施形態１に係る副鏡の製造方法によれば、２つの成形型（第１の成形型７００及び第２の成形型７５０）でもって副鏡６０を製造することとしているため、副鏡の製造経験がさほど多くない者であっても、所望とする反射面形状からなる副鏡６０を比較的容易に製造することが可能となる。すなわち、実施形態１に係る副鏡の製造方法は、所望とする反射面形状を得ることが従来よりも容易な方法であるといえる。
【００４２】
また、実施形態１に係る副鏡の製造方法によれば、素管１自体にバラつきがあったとしても、第１の成形型７００と第２の成形型７５０との位置関係をあわせておけば、比較的同一形状（反射面形状及び外形形状）の副鏡６０を繰り返し製造することができる。すなわち、実施形態１に係る副鏡の製造方法は、素管１自体にバラつきがあったとしても、副鏡の反射面形状のバラつきを低減することが可能な方法であるといえる。
【００４３】
また、実施形態１に係る副鏡の製造方法によれば、所望の形状からなる副鏡を製造するための形状面を有する第１の成形型７００及び第２の成形型７５０を一旦作ってしまえば、以後は当該第１の成形型７００及び第２の成形型７５０を用いることにより、同一形状の副鏡６０を複数製造することが可能となる。その結果、副鏡の製造コストを低減することが可能となる。
【００４４】
実施形態１に係る副鏡の製造方法においては、第２の成形型７５０は、複数の型（上型７６０及び下型７８０）を組み合わせることにより副鏡６０の外形形状６４に対応する形状面を形成することが可能な成形型集合体からなるため、第２の成形型７５０を素管１の外面に配置する作業が比較的容易となる。
【００４５】
実施形態１に係る副鏡の製造方法においては、成形工程Ｓ３０を行った後、素管１における一方端面１ａから所定の長さで素管１を切断することとしているため、比較的長い素管を用いることによって複数の副鏡を製造することができ、副鏡の製造コストを低減することが可能となる。
【００４６】
実施形態１に係る副鏡の製造方法においては、第２の成形型７５０（上型７６０及び下型７８０）は、副鏡６０における光射出方向側の開口端面６８に対応する平面部７７２，７９２を有するため、素管１における一方端面１ａと平面部７７２，７９２とを当接させることによって、副鏡６０における光射出方向側の開口端面６８に平面度の高い基準面を形成することが可能となる。その結果、副鏡の位置決め精度（発光管への取り付け精度）を向上することが可能となる。また、副鏡６０に平面度の高い基準面があることによって、副鏡の形状精度を検査する際の検査精度を向上することが可能となる。
【００４７】
実施形態１に係る副鏡の製造方法において、成形工程Ｓ３０においては、素管１における一方端部１Ａの内面及び外面に第１の成形型７００及び第２の成形型７５０を押し当てた状態で、素管１における一方端面１ａを平面部７７２，７９２まで伸ばすように、素管１に遠心力を加えることとしているため、副鏡６０における光射出方向側の開口端面６８に平面度の高い基準面を確実に形成することが可能となる。
【００４８】
なお、実施形態１に係る副鏡の製造方法においては、遠心力付与装置８００を用いて、素管１を鉛直方向に沿って振り下ろすことにより、素管１（の一方端部１Ａ）に遠心力を加える場合を例示して説明したが、本発明はこれに限定されるものではなく、例えば次のような変形も可能である。
【００４９】
［変形例１〜３］
図５〜図７は、変形例１〜３における副鏡の製造方法を説明するために示す図である。
なお、図５〜図７において、図３及び図４と同一の部材については同一の符号を付し、詳細な説明は省略する。
【００５０】
変形例１における副鏡の製造方法においては、回転装置８１０を用いて、回転装置８１０の把持部８１２に素管１の他方端部１Ｂが把持された状態で、素管１の中心軸１ａｘを中心として素管１を回転させることにより、素管１（の一方端部１Ａ）に遠心力を加えている。
【００５１】
変形例２における副鏡の製造方法においては、回転装置８２０を用いて、素管１を縦方向（鉛直方向）に３６０度回転させることにより、素管１（の一方端部１Ａ）に遠心力を加えている。
【００５２】
変形例３における副鏡の製造方法においては、回転台８３２を有する回転装置８３０を用いて、回転台の中心軸８３２ａｘを中心として素管１を横方向（水平方向）に３６０度回転させることにより、素管１（の一方端部１Ａ）に遠心力を加えている。
【００５３】
このように、遠心力を加える方法が異なる場合であっても、実施形態１に係る副鏡の製造方法の場合と同様に、第１の成形型７００と第２の成形型７５０と素管１との間に生じた隙間を埋めるように、素管１が良好に充填されることとなる。
【００５４】
［実施形態２］
図８は、実施形態２に係る副鏡の製造方法を説明するために示す図である。図８（ａ）は成形工程において第１の成形型７００及び第２の成形型７５２を配置した様子を示す図であり、図８（ｂ）は図８（ａ）の符号Ａで示す部分を拡大して示す図であり、図８（ｃ）は第２の成形型７５２に吸引装置８４０を装着した様子を示す図であり、図８（ｄ）は成形工程において隙間ｇに存在する空気を吸引したときの素管１の端部を拡大して示す図であり、図８（ｅ）は成形工程において隙間ｇに存在する空気を吸引した後に素管１の一方端面１ａに形成される突起ｐを説明するために示す図である。
なお、図８において、図３及び図４と同一の部材については同一の符号を付し、詳細な説明は省略する。
【００５５】
実施形態２に係る副鏡の製造方法は、基本的には実施形態１に係る副鏡の製造方法と同様の工程を含むものであるが、第２の成形型の構造及び成形工程の内容が、実施形態１に係る副鏡の製造方法とは異なる。
【００５６】
実施形態２に係る副鏡の製造方法においては、図８（ａ）及び図８（ｂ）に示すように、第２の成形型７５２は、２つの型（上型７６２及び下型７８２）からなる成形型集合体であって、上型７６２及び下型７８２は、副鏡６０（図１参照。）の外形形状６４に対応する形状面７７０，７９０（形状面７７０のみ図示。）と、副鏡６０における光射出方向側の開口端面６８に対応する平面部７７２，７９２（平面部７７２のみ図示。）と、平面部７７２，７９２の一部に設けられ、第１の成形型７００及び第２の成形型７５２（上型７６２及び下型７８２）によって形成される内部空間と第２の成形型７５２（上型７６２及び下型７８２）の外部とを繋ぐ貫通孔７７４，７９４とを有する。
【００５７】
貫通孔７７４，７９４は、素管１の中心軸に沿って見たときに上下にそれぞれ１つずつ設けられている。なお、貫通孔の位置及び数は、これに限定されるものではなく、成形型の大きさ等に応じて適宜変更してもよい。また、貫通孔の形状は、図８（ｂ）に示すようなストレート形状に限定されるものではなく、ストレート形状以外の形状（例えばカーブ形状）であってもよい。
【００５８】
実施形態２に係る副鏡の製造方法においては、成形工程において、実施形態１で説明した遠心力付与装置８００を用いるのに代えて、吸引装置８４０を用いている。実施形態２においては、第１の成形型７００及び第２の成形型７５２を素管１に押し当てたとき、図８（ｄ）の左側の図に示すように、素管１における溶融した一方端部１Ａが平面部７７２，７９２まで到達せず、第１の成形型７００と第２の成形型７５２と素管１との間にできる内部空間に隙間ｇが生じる場合がある。このような場合であっても、図８（ｃ）に示すように、第２の成形型７５２における貫通孔７７４，７９４が形成された面に吸引装置８４０を装着し、素管１における一方端面１ａを平面部７７２，７９２まで伸ばすように、吸引装置８４０を用いて貫通孔７７４，７９４を介して内部空間（隙間ｇ）に存在する空気を吸引することによって、図８（ｄ）の右側の図に示すように、隙間ｇを埋めるように素管１が良好に充填されることとなる。
【００５９】
なお、実施形態２に係る副鏡の製造方法においては、吸引装置８４０を用いて貫通孔７７４，７９４を介して内部空間（隙間ｇ）に存在する空気を吸引したことに起因して、図８（ｅ）の左側の図に示すように、素管１の一方端面１ａに微小な突起ｐが形成される場合がある。このような突起ｐが形成された場合には、素管１の一方端面１ａを研磨することによって、図８（ｅ）の右側の図に示すように、全体的に平面度の高い基準面を形成することが可能となる。この場合において、突起ｐは素管１の一方端面１ａのごく一部に形成されているだけであるため、特に検査等の邪魔にならないのであれば研磨しなくてもよい。また、吸引の仕方によっては、素管１の一方端面１ａに微小な突起ではなく微小な凹みができる場合があるが、この場合も、微小な凹みは素管１の一方端面１ａのごく一部に形成されているだけであるため、特に検査等の邪魔にならないのであれば研磨しなくてもよい。
【００６０】
実施形態２に係る副鏡の製造方法においては、第１の成形型７００及び第２の成形型７５２によって形成される内部空間と第２の成形型７５２の外部とを繋ぐ貫通孔７７４，７９４が設けられた第２の成形型７５２を用い、成形工程においては、素管１における一方端部１Ａの内面及び外面に第１の成形型７００及び第２の成形型７５２を押し当てた状態で、素管１における一方端面１ａを平面部７７２，７９２まで伸ばすように、吸引装置８４０を用いて貫通孔７７４，７９４を介して内部空間（隙間ｇ）に存在する空気を吸引することとしている。これにより、副鏡６０における光射出方向側の開口端面６８に平面度の高い基準面を確実に形成することが可能となる。
【００６１】
実施形態２に係る副鏡の製造方法は、第２の成形型の構造及び成形工程の内容以外の点では、実施形態１に係る副鏡の製造方法と同様の工程を含むものであるため、実施形態１に係る副鏡の製造方法が有する効果のうち該当する効果をそのまま有する。
【００６２】
［実施形態３］
図９は、実施形態３に係る副鏡の製造方法で用いる第１の成形型７０２及び第２の成形型７５４を説明するために示す図である。図９（ａ）は第１の成形型７０２及び第２の成形型７５４の斜視図であり、図９（ｂ）は第１の成形型７０２を図９（ａ）とは異なる方向から見たときの斜視図である。図１０は、実施形態３に係る副鏡の製造方法を説明するために示す図である。図１０（ａ）は成形工程において第１の成形型７０２を配置した様子を示す図であり、図１０（ｂ）は成形工程において第２の成形型７５４を配置した様子を示す図である。
なお、図９及び図１０において、図３と同一の部材については同一の符号を付し、詳細な説明は省略する。
【００６３】
実施形態３に係る副鏡の製造方法は、基本的には実施形態１に係る副鏡の製造方法と同様の工程を含むものであるが、第１の成形型及び第２の成形型の構造が、実施形態１に係る副鏡の製造方法とは異なる。
【００６４】
実施形態３に係る副鏡の製造方法においては、図９に示すように、第１の成形型７０２側に平面部７２０が形成され、第２の成形型７５４側には実施形態１で説明したような平面部が形成されていない。すなわち、第１の成形型７０２は、副鏡６０（図１参照。）の反射面形状６２に対応する形状面７１０と、副鏡６０における光射出方向側の開口端面６８に対応する平面部７２０とを有し、中心軸７０２ａｘを中心とした回転対称体である。また、第２の成形型７５４は、２つの型（上型７６４及び下型７８４）からなる成形型集合体であって、上型７６４及び下型７８４は、副鏡６０の外形形状６４に対応する形状面７７０，７９０と、嵌合部７７６，７９６とを有する。
【００６５】
実施形態３に係る副鏡の製造方法においても、実施形態１に係る副鏡の製造方法と同様に、成形工程においては、図１０に示すように、素管１における一方端部１Ａの内面に第１の成形型７０２における形状面７１０を押し当てるように、かつ、素管１における一方端部１Ａの外面に上型７６４及び下型７８４の形状面７７０，７９０を押し当てるようにして、第１の成形型７０２と第２の成形型７５４（上型７６４及び下型７８４）とを配置する。このとき、第１の成形型７０２の平面部７２０を上型７６４及び下型７８４の嵌合部７７６，７９６に嵌合させている。その後、遠心力付与装置８００に素管１を装着して素管１を鉛直方向に沿って振り下ろし、素管１（の一方端部１Ａ）に遠心力を加えることにより、素管１における一方端面１ａを平面部７２０まで伸ばすこととしている。これにより、副鏡６０における光射出方向側の開口端面６８に平面度の高い基準面を形成することが可能となる。その結果、副鏡の位置決め精度（発光管への取り付け精度）を向上することが可能となる。また、副鏡に平面度の高い基準面があることによって、副鏡の形状精度を検査する際の検査精度を向上することが可能となる。
【００６６】
実施形態３に係る副鏡の製造方法は、第１の成形型及び第２の成形型の構造以外の点では、実施形態１に係る副鏡の製造方法と同様の工程を含むものであるため、実施形態１に係る副鏡の製造方法が有する効果のうち該当する効果をそのまま有する。
【００６７】
［実施形態４］
図１１は、実施形態４に係る副鏡の製造方法で製造された副鏡６１の断面図である。図１２は、実施形態４に係る副鏡の製造方法を説明するために示す図である。図１２（ａ）は成形工程で用いる第２の成形型７５６（上型７６６及び下型７８６）の斜視図であり、図１２（ｂ）は成形工程で用いる下型７８６の上面図であり、図１２（ｃ）は成形工程において第２の成形型７５６を配置した様子を示す図であり、図１２（ｄ）は成形工程において素管１に遠心力を加えた後の素管１の端部を拡大して示す図である。
なお、図１１及び図１２において、図１並びに図３及び図４と同一の部材については同一の符号を付し、詳細な説明は省略する。
【００６８】
実施形態４に係る副鏡の製造方法は、基本的には実施形態１に係る副鏡の製造方法と同様の工程を含むものであるが、製造される副鏡の形状及び第２の成形型の構造が、実施形態１に係る副鏡の製造方法とは異なる。
【００６９】
実施形態４に係る副鏡の製造方法は、光源装置に用いる副鏡６１の製造方法である。副鏡６１は、図１１に示すように、所定の反射面形状６２及び外形形状６４と、内面に形成された反射層６６と、光射出側の開口端面６８と、開口端面６８近傍の外周部分に形成されたテーパ部６７とを有する。このようなテーパ部６７を有する副鏡６１を光源装置に用いた場合、発光管から放射されリフレクタで反射された光が、副鏡６１の開口端面６８でけられてしまうのを抑制することが可能となるという効果がある。
【００７０】
実施形態４に係る副鏡の製造方法においては、図１２に示すように、第２の成形型として、上型７６６及び下型７８６からなる第２の成形型７５６を用いている。上型７６６及び下型７８６は、例えばカーボン材料からなり、副鏡６１（図１１参照。）の外形形状６４に対応する形状面７７０，７９０と、副鏡６１における光射出方向側の開口端面６８に対応する平面部７７２，７９２とを有する。形状面７７０，７９０における平面部７７２，７９２側の部分には、副鏡６１のテーパ部６７に対応するテーパ面７７８，７９８が形成されている。上型７６６及び下型７８６を組み合わせることにより、副鏡６１の外形形状６４に対応する形状面を形成することが可能となる。実施形態４においても、実施形態１の場合と同様に、図１２（ｃ）に示すように、素管１における一方端部１Ａの外面に上型７６６及び下型７８６の形状面７７０，７９０を押し当てるようにして、第２の成形型７５６（上型７６６及び下型７８６）を配置する。
【００７１】
実施形態４に係る副鏡の製造方法においては、成形工程において、テーパ面７７８，７９８を備える第２の成形型７５６を用いているため、図１２（ｄ）に示すように、素管１が充填されることとなる内部空間を、素管１の先端方向に進むにしたがって小さくすることができる。これにより、素管１における一方端面１ａと平面部７７２，７９２とを当接させやすくなる結果、副鏡６１における光射出方向側の開口端面６８に平面度の高い基準面を確実に形成することが可能となる。また、これと同時に、テーパ部６７を有する副鏡６１を製造することが可能となる。
【００７２】
実施形態４に係る副鏡の製造方法は、製造される副鏡の形状及び第２の成形型の構造以外の点では、実施形態１に係る副鏡の製造方法と同様の工程を含むものであるため、実施形態１に係る副鏡の製造方法が有する効果のうち該当する効果をそのまま有する。
【００７３】
［実施形態５］
実施形態５では、実施形態４に係る副鏡の製造方法によって製造された副鏡６１を備える光源装置及びプロジェクタについて説明する。
【００７４】
まず、実施形態５に係る光源装置１１０及びプロジェクタ１０００の構成について、図１３を用いて説明する。
図１３は、実施形態５に係る光源装置１１０及びプロジェクタ１０００を説明するために示す図である。図１３（ａ）はプロジェクタ１０００の光学系を示す図であり、図１３（ｂ）は光源装置１１０を説明するために示す側面図である。
【００７５】
なお、以下の説明においては、互いに直交する３つの方向をそれぞれｚ軸方向（図１３（ａ）における照明光軸１００ａｘ方向）、ｘ軸方向（図１３（ａ）における紙面に平行かつｚ軸に直交する方向）及びｙ軸方向（図１３（ａ）における紙面に垂直かつｚ軸に直交する方向）とする。
【００７６】
実施形態５に係るプロジェクタ１０００は、図１３（ａ）に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する３つの液晶光変調装置４００Ｒ，４００Ｇ，４００Ｂと、３つの液晶光変調装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００７７】
照明装置１００は、被照明領域側に照明光束を射出する光源装置１１０と、凹レンズ９０と、凹レンズ９０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、第２レンズアレイ１３０からの各部分光束を偏光方向の揃った略１種類の直線偏光に変換して射出する偏光変換素子１４０と、偏光変換素子１４０から射出される各部分光束を被照明領域で重畳させるための重畳レンズ１５０とを有する。
【００７８】
光源装置１１０は、図１３（ｂ）に示すように、リフレクタとしての楕円面リフレクタ１０と、楕円面リフレクタ１０の第１焦点近傍に発光部を有する発光管２０と、反射手段としての副鏡６１とを有する。光源装置１１０は、照明光軸１００ａｘを中心軸とする光束を射出する。
【００７９】
発光管２０は、照明光軸１００ａｘに沿って配置された一対の電極４２，５２を内蔵する管球部３０と、管球部３０の両側に延びる一対の封止部４０，５０と、一対の封止部４０，５０内にそれぞれ封止された一対の金属箔４４，５４と、一対の金属箔４４，５４にそれぞれ電気的に接続された一対のリード線４６，５６とを有する。リード線４６，５６に電圧が印加されると、電極４２，５２間に電位差が発生し放電が生じアーク像が生成される。このアーク像が発光部である。
【００８０】
なお、発光管２０の構成要素の条件等を例示的に示すと、管球部３０及び封止部４０，５０は、例えば石英ガラス製であり、管球部３０内には、水銀、希ガス及び少量のハロゲンが封入されている。電極４２，５２は、例えばタングステン電極であり、金属箔４４，５４は、例えばモリブデン箔である。リード線４６，５６は、例えばモリブデン又はタングステンから構成されている。
また、発光管２０としては、高輝度発光する種々の発光管を採用でき、例えば高圧水銀ランプ、超高圧水銀ランプ、メタルハライドランプ等を採用できる。
【００８１】
楕円面リフレクタ１０は、発光管２０の封止部（一方の封止部）４０を挿通・固定するための開口部１２と、発光管２０から放射された光を第２焦点位置に向けて反射する反射凹面１４とを有する。楕円面リフレクタ１０は、楕円面リフレクタ１０の開口部１２に充填されたセメントなどの無機系接着剤によって発光管２０の封止部４０に固着されている。
【００８２】
反射凹面１４を構成する基材の材料としては、例えば、結晶化ガラスやアルミナ（Ａｌ２Ｏ３）などを好適に用いることができる。反射凹面１４の内面には、例えば、酸化チタン（ＴｉＯ２）と酸化シリコン（ＳｉＯ２）との誘電体多層膜からなる可視光反射層が形成されている。
【００８３】
副鏡６１は、実施形態４に係る副鏡の製造方法によって製造された副鏡６１であって、発光管２０の封止部（他方の封止部）５０に挿通・固定するための開口部６９を有する。副鏡６１は、開口部６９に充填されたセメントなどの無機系接着剤によって発光管２０の封止部５０に固着されている。副鏡６１によって反射された光は、発光管２０を透過して楕円面リフレクタ１０に入射する。なお、副鏡６１に代えて、実施形態１に係る副鏡の製造方法によって製造された副鏡６０を備えていてもよい。
【００８４】
凹レンズ９０は、図１３（ａ）に示すように、楕円面リフレクタ１０の被照明領域側に配置されている。そして、楕円面リフレクタ１０からの光を第１レンズアレイ１２０に向けて射出するように構成されている。
【００８５】
第１レンズアレイ１２０は、凹レンズ９０からの光を複数の部分光束に分割する光束分割光学素子としての機能を有し、複数の第１小レンズ１２２が照明光軸１００ａｘと直交する面内に複数行・複数列のマトリクス状に配列された構成を有する。図示による説明は省略するが、第１小レンズ１２２の外形形状は、後述する液晶パネルの画像形成領域の外形形状に関して相似形である。
【００８６】
第２レンズアレイ１３０は、重畳レンズ１５０とともに、第１レンズアレイ１２０の各第１小レンズ１２２の像を液晶パネルの画像形成領域近傍に結像させる機能を有する。第２レンズアレイ１３０は、第１レンズアレイ１２０と略同様な構成を有し、複数の第２小レンズ１３２が照明光軸１００ａｘに直交する面内に複数行・複数列のマトリクス状に配列された構成を有する。
【００８７】
偏光変換素子１４０は、第１レンズアレイ１２０により分割された各部分光束の偏光方向を、偏光方向の揃った略１種類の直線偏光として射出する偏光変換素子である。
偏光変換素子１４０は、光源装置１１０からの照明光束のうち一方の偏光成分（例えばＰ偏光成分）を有する光を透過し他方の偏光成分（例えばＳ偏光成分）を有する光を照明光軸１００ａｘに垂直な方向に反射する偏光分離層と、偏光分離層で反射された他方の偏光成分を有する光を照明光軸１００ａｘに平行な方向に反射する反射層と、偏光分離層を透過した一方の偏光成分を有する光を他方の偏光成分を有する光に変換する位相差板とを有する。
【００８８】
重畳レンズ１５０は、第１レンズアレイ１２０、第２レンズアレイ１３０及び偏光変換素子１４０を経た複数の部分光束を集光して液晶パネルの画像形成領域近傍に重畳させるための光学素子である。重畳レンズ１５０は、重畳レンズ１５０の光軸と照明装置１００の照明光軸１００ａｘとが略一致するように配置されている。なお、重畳レンズ１５０は、複数のレンズを組み合わせた複合レンズで構成されていてもよい。
【００８９】
色分離光学系２００は、ダイクロイックミラー２１０，２２０と、反射ミラー２３０，２４０，２５０と、入射側レンズ２６０と、リレーレンズ２７０とを有する。色分離光学系２００は、重畳レンズ１５０から射出される照明光束を、赤色光、緑色光及び青色光の３つの色光に分離して、それぞれの色光を照明対象となる３つの液晶光変調装置４００Ｒ，４００Ｇ，４００Ｂに導く機能を有する。
【００９０】
ダイクロイックミラー２１０，２２０は、所定の波長領域の光束を反射し他の波長領域の光束を透過する波長選択膜が基板上に形成された光学素子である。光路前段に配置されるダイクロイックミラー２１０は、赤色光成分を反射し、その他の色光成分を透過させるミラーである。光路後段に配置されるダイクロイックミラー２２０は、緑色光成分を反射し、青色光成分を透過させるミラーである。
【００９１】
ダイクロイックミラー２１０で反射された赤色光成分は、反射ミラー２３０により反射され、集光レンズ３００Ｒを介して赤色光用の液晶光変調装置４００Ｒに入射する。集光レンズ３００Ｒは、重畳レンズ１５０からの各部分光束を各主光線に対して略平行な光束に変換するために設けられている。なお、他の集光レンズ３００Ｇ，３００Ｂも、集光レンズ３００Ｒと同様に構成されている。
【００９２】
ダイクロイックミラー２１０を通過した緑色光成分及び青色光成分のうち緑色光成分は、ダイクロイックミラー２２０で反射され、集光レンズ３００Ｇを通過して緑色光用の液晶光変調装置４００Ｇに入射する。一方、青色光成分は、ダイクロイックミラー２２０を透過し、入射側レンズ２６０、入射側の反射ミラー２４０、リレーレンズ２７０、射出側の反射ミラー２５０及び集光レンズ３００Ｂを通過して青色光用の液晶光変調装置４００Ｂに入射する。入射側レンズ２６０、リレーレンズ２７０及び反射ミラー２４０，２５０は、ダイクロイックミラー２２０を透過した青色光成分を液晶光変調装置４００Ｂまで導く機能を有する。
【００９３】
液晶光変調装置４００Ｒ，４００Ｇ，４００Ｂは、画像情報に応じて照明光束を変調するものであり、照明装置１００の照明対象となる。
液晶光変調装置４００Ｒ，４００Ｇ，４００Ｂは、ここでは図示による説明を省略するが、液晶パネルと、液晶パネルの光入射側に配置される入射側偏光板と、液晶パネルの光射出側に配置される射出側偏光板とを有する。
【００９４】
液晶パネルは、一対の透明なガラス基板（対向基板とＴＦＴ基板）に電気光学物質である液晶を密閉封入したものであり、ＴＮ型の液晶パネルである。例えば、ポリシリコンＴＦＴをスイッチング素子として、与えられた画像情報に従って、入射側偏光板から射出される１種類の直線偏光の偏光方向を変調する。
【００９５】
入射側偏光板、液晶パネル及び射出側偏光板によって入射する各色光の光変調が行われる。
【００９６】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、青色光を反射するものであり、他方の界面に形成された誘電体多層膜は、赤色光を反射するものである。これらの誘電体多層膜によって青色光及び赤色光は曲折され、緑色光の進行方向と揃えられることにより、３つの色光が合成される。
【００９７】
クロスダイクロイックプリズム５００から射出されたカラー画像は、投写光学系６００によって拡大投写され、スクリーンＳＣＲ上で大画面画像を形成する。
【００９８】
以上のように構成された実施形態５に係る光源装置１１０及びプロジェクタ１０００は、実施形態４で説明した副鏡の製造方法によって製造された副鏡６１を備えているため、高品質な副鏡を備える光源装置及びプロジェクタとなる。
【００９９】
以上、本発明の反射鏡の製造方法並びに光源装置及びプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【０１００】
上記実施形態１〜４においては、成形工程Ｓ３０を行った後で素管切断工程Ｓ４０を行う場合を例示して説明したが、本発明はこれに限定されるものではなく、成形工程Ｓ３０を行う前に素管を所定の長さで切断してもよいし、前もって適当な長さ（製造後の副鏡６０，６１の大きさに対応する長さ）の素管を準備しておけば、素管切断工程を省略してもよい。
【０１０１】
上記実施形態１〜４においては、第２の成形型が２つの型（上型及び下型）からなる場合を例示して説明したが、本発明はこれに限定されるものではなく、例えば第２の成形型が単一の型であってもよいし、３つ以上の型を組み合わせてなる成形型集合体であってもよい。
【０１０２】
上記実施形態１〜４においては、第１の成形型及び第２の成形型として、カーボン材料からなる成形型を用いたが、本発明はこれに限定されるものではなく、例えば、金属材料からなる成形型を用いてもよい。
【０１０３】
上記実施形態１〜４では、本発明の反射鏡の製造方法を副鏡の製造方法に適用した場合について説明したが、本発明はこれに限定されるものではなく、上記実施形態１〜４に係る副鏡の製造方法をリフレクタの製造方法として適用し、そのリフレクタの製造方法によって製造されたリフレクタを上記実施形態５の光源装置１１０及びプロジェクタ１０００に用いてもよい。
【０１０４】
本発明の光源装置をプロジェクタに適用した例について説明したが、本発明はこれに限定されるものではない。本発明の光源装置を他の光学機器（例えば、光ディスク装置など。）に適用することも可能である。
【０１０５】
上記実施形態５においては、リフレクタとして、楕円面リフレクタを用いたが、本発明はこれに限定されるものではなく、放物面リフレクタも好ましく用いることができる。
【０１０６】
上記実施形態５においては、光均一化光学系として、レンズアレイからなるレンズインテグレータ光学系を用いたが、本発明はこれに限定されるものではなく、ロッド部材からなるロッドインテグレータ光学系をも好ましく用いることができる。
【０１０７】
上記実施形態５に係るプロジェクタ１０００は透過型のプロジェクタであるが、本発明はこれに限定されるものではない。本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置等のように光変調手段としての電気光学変調装置が光を反射するタイプであることを意味している。反射型のプロジェクタにこの発明を適用した場合にも、透過型のプロジェクタと同様の効果を得ることができる。
【０１０８】
上記実施形態５においては、３つの液晶光変調装置４００Ｒ，４００Ｇ，４００Ｂを用いたプロジェクタを例示して説明したが、本発明はこれに限定されるものではなく、１つ、２つ又は４つ以上の液晶光変調装置を用いたプロジェクタにも適用可能である。
【０１０９】
上記実施形態５においては、電気光学変調装置として液晶光変調装置を用いたが、本発明はこれに限定されるものではない。電気光学変調装置としては、一般に、画像情報に応じて入射光を変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【０１１０】
本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１１１】
【図１】実施形態１に係る副鏡の製造方法で製造された副鏡６０の断面図。
【図２】実施形態１に係る副鏡の製造方法を説明するために示すフローチャート。
【図３】実施形態１に係る副鏡の製造方法における各工程を模式的に示す図。
【図４】実施形態１に係る副鏡の製造方法における各工程を模式的に示す図。
【図５】変形例１における副鏡の製造方法を説明するために示す図。
【図６】変形例２における副鏡の製造方法を説明するために示す図。
【図７】変形例３における副鏡の製造方法を説明するために示す図。
【図８】実施形態２に係る副鏡の製造方法を説明するために示す図。
【図９】実施形態３に係る副鏡の製造方法で用いる第１の成形型７０２及び第２の成形型７５４を説明するために示す図。
【図１０】実施形態３に係る副鏡の製造方法を説明するために示す図。
【図１１】実施形態４に係る副鏡の製造方法で製造された副鏡６１の断面図。
【図１２】実施形態４に係る副鏡の製造方法を説明するために示す図。
【図１３】実施形態５に係る光源装置１１０及びプロジェクタ１０００を説明するために示す図。
【符号の説明】
【０１１２】
１…素管、１Ａ…素管の一方端部、１ａ…素管の一方端面、１ａｘ…素管の中心軸、１Ｂ…素管の他方端部、１０…楕円面リフレクタ、１２…開口部、１４…反射面、２０…発光管、３０…管球部、４０，５０…封止部、４２，５２…電極、４４，５４…金属箔、４６，５６…リード線、６０，６１…副鏡、６２…（副鏡の）反射面形状、６４…（副鏡の）外形形状、６６…反射層、６７…テーパ部、６８…（副鏡における光射出側の）開口端面、６９…開口部、９０…凹レンズ、１００…照明装置、１００ａｘ…照明光軸、１１０…光源装置、１２０…第１レンズアレイ、１２２…第１小レンズ、１３０…第２レンズアレイ、１３２…第２小レンズ、１４０…偏光変換素子、１５０…重畳レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４００Ｒ，４００Ｇ，４００Ｂ…液晶光変調装置、５００…クロスダイクロイックプリズム、６００…投写光学系、７００…第１の成形型、７１０…形状面、７２０…平面部、７０２ａｘ…第１の成形型の中心軸、７５０，７５２，７５４，７５６…第２の成形型、７６０，７６２，７６４，７６６…上型、７７０，７９０…形状面、７７２，７９２…平面部、７７４，７９４…貫通部、７７６，７９６…嵌合部、７７８，７９８…テーパ面、７８０，７８２，７８４，７８６…下型、８００…遠心力付与装置、８１０，８２０，８３０…回転装置、８１２…把持部、８３２…回転台、８３２ａｘ…回転台の中心軸、８４０…吸引装置、１０００…プロジェクタ、ｇ…隙間、ｐ…突起、ＳＣＲ…スクリーン
【図１】
2009157013.tif 000003
【図２】
2009157013.tif 000004
【図１０】
2009157013.tif 000005
【図１１】
2009157013.tif 000006
【図１３】
2009157013.tif 000007
【図３】
2009157013.tif 000008
【図４】
2009157013.tif 000009
【図５】
2009157013.tif 000010
【図６】
2009157013.tif 000011
【図７】
2009157013.tif 000012
【図８】
2009157013.tif 000013
【図９】
2009157013.tif 000014
【図１２】
2009157013.tif 000015